(57)【要約】【課題】コネクタ本体と接続対象物との接続が容易に解除されることのないコネクタを提供する。【解決手段】メモリモジュール１が接続されたコネクタ本体１０にロック部材５０を装着することにより、ロック部材５０によってメモリモジュール１の接続解除方向への移動を規制するとともに、ロック部材５０の係止片５２をコネクタ本体１０側に係止してロック部材５０の取外方向への移動を規制し、ロック部材５０の係止片５２を補強板４０によって外部から係止解除操作不能に覆うようにしたので、コネクタ本体１０とメモリモジュール１との接続が容易に解除されることがなく、衝撃や振動に対する接続信頼性の向上を図ることができるとともに、例えば電気機器のメモリモジュール１が故意に取外されて他のメモリモジュールに交換されることによる故障や誤動作を効果的に防止することができる。【選択図】図３
2005293990.tif 000002
【特許請求の範囲】
【請求項１】
接続対象物を保持するコネクタ本体と、コネクタ本体に設けられた複数の端子とを備え、接続対象物の一端側をコネクタ本体側に挿入することにより、接続対象物をコネクタ本体の各端子に接続するようにしたコネクタにおいて、
前記接続対象物が接続されたコネクタ本体に装着することにより、接続対象物の接続解除方向への移動を規制するロック部材を備え、
ロック部材にコネクタ本体に装着するとコネクタ本体側に係止してロック部材の取外方向への移動を規制する係止部を設けるとともに、
コネクタ本体側の所定部分をコネクタ本体側に係止した係止部を外部から係止解除操作不能に覆うように形成した
ことを特徴とするコネクタ。
【請求項２】
前記ロック部材の係止部をロック部材がコネクタ本体に装着されるとコネクタ本体側に設けた凹部内に係止するように弾性変形可能に形成した
ことを特徴とする請求項１記載のコネクタ。
【請求項３】
前記コネクタ本体にコネクタ本体側に係止した係止部を外部から係止解除操作不能に覆う補強部材を設け、
ロック部材の係止部を補強部材とコネクタ本体との間に設けた隙間に挿入可能に形成した
ことを特徴とする請求項１または２記載のコネクタ。
【請求項４】
前記補強部材にコネクタ実装用の取付対象物に固定される固定部を設けた
ことを特徴とする請求項３記載のコネクタ。
【発明の詳細な説明】
【技術分野】
【０００１】
本発明は、各種電気機器等の回路基板に実装され、メモリモジュール等の他の基板を回路基板に接続するためのコネクタに関するものである。
【背景技術】
【０００２】
従来、この種のコネクタとしては、接続対象物としてのメモリモジュールを保持するコネクタ本体と、コネクタ本体に設けられた複数の端子とを備え、メモリモジュールの一端側をコネクタ本体に斜め上方から挿入するとともに、メモリモジュールの他端側を下方に押し下げてコネクタ本体側に係合することにより、メモリモジュールをコネクタ本体の各端子に接続するようにしたものが知られている（例えば、特許文献１参照。）。
【特許文献１】特開平９−２９８０７４号公報
【発明の開示】
【発明が解決しようとする課題】
【０００３】
ところで、所定のメモリモジュールがコネクタに接続されている電気機器等においては、メモリモジュールが故意に取外されて他のメモリモジュールに交換されると、故障や誤動作を生ずるおそれがある。しかしながら、前記コネクタでは、メモリモジュールの他端側を押し上げてコネクタ本体との係合を解除することにより、メモリモジュールを容易に取外すことができるため、他のメモリモジュールへの交換を防止することができないという問題点があった。また、前記コネクタでは、コネクタ本体との係合のみによってメモリモジュールを保持するようにしているため、衝撃や振動によってもメモリモジュールが外れ易いという問題点があった。
【０００４】
本発明は前記問題点に鑑みてなされたものであり、その目的とするところは、コネクタ本体と接続対象物との接続が容易に解除されることのないコネクタを提供することにある。
【課題を解決するための手段】
【０００５】
本発明は前記目的を達成するために、接続対象物を保持するコネクタ本体と、コネクタ本体に設けられた複数の端子とを備え、接続対象物の一端側をコネクタ本体側に挿入することにより、接続対象物をコネクタ本体の各端子に接続するようにしたコネクタにおいて、前記接続対象物が接続されたコネクタ本体に装着することにより、接続対象物の接続解除方向への移動を規制するロック部材を備え、ロック部材にコネクタ本体に装着するとコネクタ本体側に係止してロック部材の取外方向への移動を規制する係止部を設けるとともに、コネクタ本体側の所定部分をコネクタ本体側に係止した係止部を外部から係止解除操作不能に覆うように形成している。
【０００６】
これにより、接続対象物が接続されたコネクタ本体にロック部材を装着すると、ロック部材によって接続対象物の接続解除方向への移動が規制されるとともに、ロック部材の係止部がコネクタ本体側に係止してロック部材の取外方向への移動が規制される。その際、コネクタ本体側に係止した係止部がコネクタ本体側の所定部分によって外部から係止解除操作不能に覆われることから、係止部に対して外部から係止解除操作をすることができなくなる。
【発明の効果】
【０００７】
本発明のコネクタによれば、コネクタ本体と接続対象物との接続が容易に解除されることがないので、衝撃や振動に対する接続信頼性の向上を図ることができるとともに、例えば電気機器のメモリモジュール等、所定の接続対象物が故意に取外されて他の接続対象物に交換されることによる電気機器の故障や誤動作を効果的に防止することができる。
【発明を実施するための最良の形態】
【０００８】
図１乃至図７は本発明の一実施形態を示すもので、図１はコネクタ本体の斜視図、図２はコネクタ本体にメモリモジュールの一端側を挿入した状態を示す斜視図、図３はメモリモジュールを接続したコネクタ本体とロック部材を示す斜視図、図４はメモリモジュールを接続したコネクタ本体にロック部材を装着した状態を示す斜視図、図５はロック部材の側面図、図６はメモリモジュールの接続工程を示す要部側面断面図、図７はロック部材の装着工程を示す要部平面断面図である。
【０００９】
このコネクタは、接続対象物としてのメモリモジュール１を保持する絶縁性のコネクタ本体１０と、コネクタ本体１０の一端側に設けられた複数の第１及び第２の端子２０，３０と、コネクタ本体１０の幅方向両側面に取付けられた一対の補強板４０と、コネクタ本体１０に接続されたメモリモジュール１の接続解除方向への移動を規制するロック部材５０とから構成されている。
【００１０】
メモリモジュール１は、基板上に図示しないメモリチップを配置した周知の構成からなり、その一端側にはメモリチップに導通する電気接点（図示せず）が設けられている。また、メモリモジュール１の幅方向両端には略半円形の切り欠き部１ａが設けられている。
【００１１】
コネクタ本体１０は、メモリモジュール１の幅方向に延びる本体部１１と、本体部１１の幅方向両端側から前方に延びる一対の側壁部１２とからなり、本体部１１の前端側及び後端側にそれぞれ第１及び第２の端子２０，３０が配置されるようになっている。本体部１１の前面側にはメモリモジュール１の一端側が挿入される挿入部１３が設けられ、挿入部１３は本体部１１の上面壁１１ａと下面壁１１ｂとの間に形成されている。側壁部１２の先端側にはコネクタ本体１０の内側に向かって突出する突部１４が設けられ、各突部１４にはメモリモジュール１の幅方向両端が係止するようになっている。この場合、各突部１４の上面及び下面は、それぞれ先端側に向かって傾斜をなすように形成されている。また、コネクタ本体１０の両側面には側壁部１２の前後方向略中央に位置する凹部１５がそれぞれ設けられ、各凹部１５は補強板４０によって外側から覆われるようになっている。
【００１２】
各第１の端子２０は本体部１１の上面壁１１ａ側に設けられ、互いに本体部１１の幅方向に間隔をおいて配置されている。各第１の端子２０の一端側は上下方向に弾性変形可能に形成され、その他端側には図示しない回路基板に接続される接続部２１が設けられている。
【００１３】
各第２の端子３０は本体部１１の下面壁１１ｂ側に設けられ、互いに本体部１１の幅方向に間隔をおいて配置されている。各第２の端子３０の一端側は上下方向に弾性変形可能に形成され、その他端側には図示しない回路基板に接続される接続部３１が設けられている。
【００１４】
各補強板４０はコネクタ本体１０の側面に沿って前後方向に延びる金属板からなり、その一端側をコネクタ本体１０の本体部１１の両側に固定されている。各補強板４０の他端側はコネクタ本体１０の側壁部１２の側方に配置され、側壁部１２の凹部１５を覆うように形成されている。この場合、各補強板４０の他端側と側壁部１２との間にはロック部材５０を挿入可能な隙間が設けられている。また、各補強板４０の下端側には図示しない回路基板に固定される固定片４１が設けられ、固定片４１を回路基板に半田付け等によって接続することにより、コネクタ本体１０が回路基板に固定されるようになっている。
【００１５】
ロック部材５０はメモリモジュール１の幅方向に延びる金属製の部材からなり、その幅方向両端側にはコネクタ本体１０側に向かって延びる一対の延出部５１が設けられている。各延出部５１にはコネクタ本体１０の凹部１５に係止する係止片５２がそれぞれ設けられ、各係止片５２は延出部５１を略コ字状に切り欠くことによって形成されている。この場合、各係止片５２は、図５に示すように延出部５１の先端側を基端側として延出部５１の基端側が自由端側となるように形成され、その自由端側がロック部材５０の内側に向かって突出するようにロック部材５０の幅方向に弾性変形可能に折り曲げられている。
【００１６】
以上のように構成されたコネクタにメモリモジュール１を接続する場合には、図２に示すようにメモリモジュール１の一端側をコネクタ本体１０の挿入部１３に斜め上方から挿入し、メモリモジュール１の他端側を押し下げることにより、メモリモジュール１の他端側を各側壁部１２の突部１４に係止する。その際、メモリモジュール１の他端側は各突部１４を乗り越えて突部１４の下方まで移動し、各突部１４の下面側に係止して上方への移動を規制される。尚、この状態ではメモリモジュール１の他端側を押し上げることにより、メモリモジュール１の取外しが可能である。また、図６(a) に示すように凹部１３に斜め上方から挿入されたメモリモジュール１の一端側は、第１及び第２の端子２０，３０の間に位置するとともに、図６(b) に示すようにメモリモジュール１の他端側が押し下げられると、第１及び第２の端子２０，３０に圧接し、メモリモジュール１の上面側及び下面側が第１の端子２０及び第２の端子３０にそれぞれ接続される。
【００１７】
次に、図３に示すようにメモリモジュール１が接続されたコネクタ本体１０にロック部材５０を装着すると、ロック部材５０によってメモリモジュール１の接続解除方向への移動が規制される。即ち、ロック部材５０を前方からコネクタ本体１０に装着すると、図４に示すようにメモリモジュール１の他端側の上方にロック部材５０が位置し、メモリモジュール１の他端側を上方へ押し上げることができなくなる。また、図７(a) に示すようにロック部材５０の各延出部５１をコネクタ本体１０の各側壁部１２と補強板４０との間に挿入すると、図７(b) に示すようにロック部材５０の係止片５２が延出部５１側に没入するように弾性変形し、図７(c) に示すように係止片５２が側壁部１２の凹部１５に対応する位置までロック部材５０が挿入されると、係止片５２がその復元力により凹部１５内に突出する。これにより、ロック部材５０を反挿入方向に移動させようとすると、係止片５２の先端が凹部１５の内側面に係止し、ロック部材５０の取外方向への移動が規制される。また、ロック部材５０の係止片５２は補強板４０によって覆われているため、係止片５２に対して外部から係止解除操作をすることができなくなる。
【００１８】
このように、本実施形態のコネクタによれば、メモリモジュール１が接続されたコネクタ本体１０にロック部材５０を装着することにより、ロック部材５０によってメモリモジュール１の接続解除方向への移動を規制するとともに、ロック部材５０の係止片５２をコネクタ本体１０側に係止してロック部材５０の取外方向への移動を規制し、ロック部材５０の係止片５２を補強板４０によって外部から係止解除操作不能に覆うようにしたので、コネクタ本体１０とメモリモジュール１との接続が容易に解除されることがなく、衝撃や振動に対する接続信頼性の向上を図ることができるとともに、例えば電気機器のメモリモジュール１が故意に取外されて他のメモリモジュールに交換されることによる故障や誤動作を効果的に防止することができる。
【００１９】
また、コネクタ本体１０にロック部材５０を装着すると、ロック部材５０の係止片５２が弾性変形によってコネクタ本体１０の凹部１５に係止するようにしたので、コネクタ本体１０とロック部材５０とを簡単な構造によって確実にロックすることができ、実用化に際して極めて有利である。
【００２０】
更に、コネクタ本体１０にコネクタ本体１０側に係止した係止片５２を外部から係止解除操作不能に覆う補強板４０を設け、ロック部材５０の延出部５１を補強板４０とコネクタ本体１０との間に設けた隙間に挿入することによってコネクタ本体１０側に係止片５２を係止するようにしたので、係止片５２を覆う部分を別部品としての補強板４０を取付けることによって容易に構成することができる。
【００２１】
この場合、補強板４０に取付対象物としての回路基板に固定される固定片４１を設けたので、例えば係止片５２の係止解除操作を目的として補強板４０をコネクタ本体１０から取外そうとしても、補強板４０は回路基板に固定されているため容易に取外すことができず、係止片５２の人為的な係止解除を確実に防止することができる。
【００２２】
尚、前記実施形態では、接続対象物としてメモリモジュール１を示したが、他の小型基板や専用の相手側コネクタ等、接続対象物がメモリモジュールに限定されるものではない。
【００２３】
また、前記実施形態では、メモリモジュール１の一端側をコネクタ本体１０に斜め上方から挿入し、その他端側を押し下げることによって接続する構造のものを示したが、例えば接続対象物をコネクタ本体に前後方向に挿入して接続する構造のものであってもよく、この場合はロック部材を接続対象物の前後方向の移動を規制するように構成すればよい。
【００２４】
更に、前記実施形態では、係止片５２を覆う部分を別部品としての補強板４０によって構成したものを示したが、補強板４０に相当する部分をコネクタ本体１０に一体に形成するようにしてもよい。
【図面の簡単な説明】
【００２５】
【図１】本発明の一実施形態を示すコネクタ本体の斜視図
【図２】コネクタ本体にメモリモジュールの一端側を挿入した状態を示す斜視図
【図３】メモリモジュールを接続したコネクタ本体とロック部材を示す斜視図
【図４】メモリモジュールを接続したコネクタ本体にロック部材を装着した状態を示す斜視図
【図５】ロック部材の側面図
【図６】メモリモジュールの接続工程を示す要部側面断面図
【図７】ロック部材の装着工程を示す要部平面断面図
【符号の説明】
【００２６】
１…メモリモジュール、１０…コネクタ本体、１５…凹部、２０…第１の端子３０…第２の端子、４０…補強板、４１…固定片、５０…ロック部材、５２…係止片。
【図１】
2005293990.tif 000003
【図２】
2005293990.tif 000004
【図３】
2005293990.tif 000005
【図４】
2005293990.tif 000006
【図５】
2005293990.tif 000007
【図６】
2005293990.tif 000008
【図７】
2005293990.tif 000009